(57)【特許請求の範囲】
【請求項１】
表示領域、サーマルヘッド部形成領域、ラインセンサ部形成領域がそれぞれ別々に配置された後透明基板と、
シール材を介在させて前記後透明基板の前記表示領域のみに貼り合わされた前透明基板と、
前記後透明基板と前記前透明基板との間に封止された液晶と、
前記後透明基板上の前記表示領域、前記サーマルヘッド部形成領域、前記ラインセンサ部形成領域において堆積したアモルファスシリコン膜と、
前記後透明基板上の前記表示領域に設けられた前記アモルファスシリコン膜をパターニングしてなる半導体層を有する薄膜トランジスタと、
前記サーマルヘッド部形成領域に堆積された前記アモルファスシリコン膜をアニール後、パターニングしてなる抵抗発熱体層を有するサーマルヘッドと、
前記後透明基板上の前記ラインセンサ部形成領域に設けられた前記アモルファスシリコン膜をパターニングしてなる半導体層を有するラインセンサと、
前記後透明基板の後方に配置され、前記ラインセンサの認識用の光及び前記表示領域の液晶表示用の光を出射するバックライトと、
を備えることを特徴とする表示装置。
【請求項２】
前記ラインセンサは、前記後透明基板の前記薄膜トランジスタが形成された表面側にＭＯＳ型フォトセンサが配列されてなることを特徴とする請求項１記載の表示装置。
【請求項３】
前記ラインセンサは、前記基板側に形成された遮光性をもつボトムゲート電極と、前記ボトムゲート電極上にボトムゲート絶縁膜を介して形成された半導体層と、前記半導体層の両側に接続されたソース・ドレイン電極と、前記半導体層上にトップゲート絶縁膜を介して形成された透明性をもつトップゲート電極、を備えることを特徴とする請求項２記載の表示装置。
【請求項４】
前記ラインセンサに対して被認識シートを走行させる走行手段を備えることを特徴とする請求項１〜請求項３のいずれかに記載の表示装置。
【請求項５】
前記表示領域と前記サーマルヘッドとが前記後透明基板に配置・形成されていることを特徴とする請求項１記載の表示装置。
【請求項６】
前記サーマルヘッドは、前記ラインセンサの近傍に配置・形成され、前記走行手段で被印刷シートがサーマルヘッド上を走行されることを特徴とする請求項１記載の表示装置。
【発明の詳細な説明】
【０００１】
【発明の属する技術分野】
この発明は表示装置に関し、さらに詳しくは、イメージ認識用のラインセンサ並びにプリント機能を有する表示装置に関する。
【０００２】
【従来の技術】
近年では、液晶表示素子をはじめとする薄型の表示装置を備えたノートパソコンやモバイルコンピュータなどの携帯情報機器が開発されている。このような携帯情報機器は、それ自体でイメージ取り込み機能を持つものがなく、イメージ取り込みを行うには、デジタルカメラやハンディーイメージリーダを用いる必要がある。
【０００３】
また、デスクトップワープロなどでは、表示装置とは別にサーマルヘッドをもつサーマルプリンタやイメージリーダが組み込まれたものがある。
【０００４】
【発明が解決しようとする課題】
しかしながら、従来の携帯情報機器では、例えば、地図などの印刷物や手書き図形などの記載された書類の読み取りをデジタルカメラで行うには、カメラを固定する治具を使わないときれいに読み取れないという問題があった。また、ハンディーイメージリーダは、携帯情報機器の周辺装置として使うのに十分に小型のものがなく、携帯性を阻害するものであった。
【０００５】
また、従来のデスクトップワープロなどにおいては、サーマルプリンタやイメージリーダを組み込むことで機器の大型化を招くという問題点があった。
【０００６】
そこで、本発明はこれらの事情を勘案して、イメージリーダ機能やプリンタ機能を具備する軽量でコンパクトな表示装置を提供することを目的とする。
【０００７】
【課題を解決するための手段】
請求項１記載の発明は、表示装置であって、
表示領域、サーマルヘッド部形成領域、ラインセンサ部形成領域がそれぞれ別々に配置された後透明基板と、
シール材を介在させて前記後透明基板の前記表示領域のみに貼り合わされた前透明基板と、
前記後透明基板と前記前透明基板との間に封止された液晶と、
前記後透明基板上の前記表示領域、前記サーマルヘッド部形成領域、前記ラインセンサ部形成領域において堆積したアモルファスシリコン膜と、
前記後透明基板上の前記表示領域に設けられた前記アモルファスシリコン膜をパターニングしてなる半導体層を有する薄膜トランジスタと、
前記サーマルヘッド部形成領域に堆積された前記アモルファスシリコン膜をアニール後、パターニングしてなる抵抗発熱体層を有するサーマルヘッドと、
前記後透明基板上の前記ラインセンサ部形成領域に設けられた前記アモルファスシリコン膜をパターニングしてなる半導体層を有するラインセンサと、
前記後透明基板の後方に配置され、前記ラインセンサの認識用の光及び前記表示領域の液晶表示用の光を出射するバックライトと、
を備えることを特徴としている。
【０００８】
請求項１記載の発明では、表示装置の基板にラインセンサが形成されているため、イメージリーダを別途組み込む構成よりもコンパクト化を図ることが可能となる。
【０００９】
請求項２記載の発明は、請求項１記載の表示装置であって、前記ラインセンサは、前記後透明基板の前記薄膜トランジスタが形成された表面側にＭＯＳ型フォトセンサが配列されてなることを特徴とする請求項１記載の表示装置。
【００１０】
請求項２記載の発明では、液晶セルを構成する後透明基板の同一表面側に形成される薄膜トランジスタの製造プロセスを利用してＭＯＳ型フォトセンサを作成することができるため、ラインセンサのために特別な製造工程を要することがなく、簡単且つコンパクトなラインセンサを製造することができる。このように、請求項２記載の発明では、構造のコンパクト化を図ると共に、軽量化を図ることができる。
【００１１】
請求項３記載の発明は、請求項２記載の表示装置であって、前記ラインセンサは、前記基板側に形成された遮光性をもつボトムゲート電極と、前記ボトムゲート電極上にボトムゲート絶縁膜を介して形成された半導体層と、前記半導体層の両側に接続されたソース・ドレイン電極と、前記半導体層上にトップゲート絶縁膜を介して形成された透明性をもつトップゲート電極、を備えることを特徴とする。
【００１２】
請求項３記載の発明では、透明なトップゲート電極を通過して半導体層に入射すると、入射光の物理量に応じて半導体層内のキャリアの状態が変化し、このキャリア状態に応じて、ソース電極とドレイン電極との間に流れる電流量が決まり、この値に応じて明暗を検出することができる。ここで、トップゲート電極に印加する電圧を制御することにより、ラインセンサのセンス状態を制御することができる。また、ボトムゲート電極に印加する電圧を制御することにより、センサの選択及び非選択の状態を制御することが可能となる。なお、この発明では、ボトムゲート電極が遮光性をもつため、基板の後方からに認識用の光を照射させても半導体層へ光が直接入射して誤動作を起こすのを防止することができる。
【００１７】
請求項４記載の発明は、請求項１〜請求項４のいずれかに記載の表示装置であって、前記ラインセンサに対して被認識シートを走行させる走行手段を備えることを特徴とする。
【００１８】
請求項４記載の発明では、走行手段により、例えば地図や手書き図面などの被認識シートをラインセンサに沿って走行させることにより、イメージを読み込ませることが可能となる。
【００１９】
請求項５記載の発明は、請求項１記載の表示装置であって、前記表示領域と前記サーマルヘッドとが前記後透明基板に配置・形成されていることを特徴とする。請求項６記載の発明は、請求項１記載の表示装置であって、前記サーマルヘッドは、前記ラインセンサの近傍に配置・形成され、前記走行手段で被印刷シートがサーマルヘッド上を走行されることを特徴とする。
【００２０】
請求項５記載の発明では、表示装置の基板にサーマルヘッドが形成されているため、プリンタを別途備える構成よりもコンパクト化を図ることができる。請求項６記載の発明では、サーマルヘッドが、放熱ヘッドとなる半導体層とこれに接続される金属電極とでなる構成であれば、これら半導体層及び金属電極の形成工程は液晶セルのスイッチング素子の形成工程に共通するものであるため、サーマルヘッドの形成のために特別な製造工程を要することがない。また、サーマルヘッドもラインセンサと同様に基板に一体的に形成されるため、表示装置にコンパクトに組み合わせることができる。請求項６記載の発明では、走行手段を用いて被印刷シート（紙など）へ感熱印刷を行うことが可能となる。また、サーマルヘッドをラインセンサの近傍に配置・形成しているため、同一の走行手段を用いてシート送りを行うことができ、コンパクト化を達成することができる。
【００２１】
【発明の実施の形態】
以下、この発明に係る表示装置の詳細を図面に示す実施形態に基づいて説明する。
【００２２】
（実施形態１）
図１〜図６は、本発明に係る表示装置の実施形態１を示している。図１は本実施形態の概略を示す側面説明図である。図１中１１は表示装置であって、例えばノートパソコンやモバイルコンピュータなどの携帯情報機器の表示手段として用いられる。この表示装置１１は、同図に示すように、液晶セル１２と、ラインセンサ部１４と、サーマルヘッド部１３と、バックライトシステム１５と、走行手段としての紙送り装置１６を備えている。なお、この表示装置１１は、この他に例えば液晶セル１２の表面に配置される偏光板（図示省略する）や、液晶セル１２およびバックライトシステム１５などを収容するケーシング（図示省略する）を備え、例えばノートパソコンやモバイルコンピュータなどの携帯情報機器本体（図中、一点鎖線で示す）１７に対して、倒したり起立できるように下端部が携帯情報機器本体１７に枢支されている。
【００２３】
液晶セル１２は、前透明基板１８と後透明基板１９とを、液晶表示領域を囲むシール材２０を介在させて貼り合わせ、両基板１８、１９とシール材２０とで形成される空隙に液晶２１を封止してなる。なお、後透明基板１９は前透明基板１８より広い面積を有し、両基板１８、１９を貼り合わせた状態で、図１に示すように後透明基板１９の下部が前透明基板１８と対向せずに露呈するように設定されている。前透明基板１８の後面には、図示しないが、周知のようにカラーフィルタ、ブラックマスク、共通電極、前配向膜などが形成されている。また、後透明基板１９の前面には、図示しないが、画素電極、スイッチング素子としての薄膜トランジスタ（ＴＦＴ）、後配向膜などが形成されている。図２は、後透明基板１９の前面側を示す正面図である。この後透明基板１９の露呈した部分の前面には、図２に示すように、それぞれ基板の幅方向に沿ってサーマルヘッド部１３とラインセンサ部１４とが形成されている。これらサーマルヘッド部１３とラインセンサ部１４とは、極僅かの距離を隔てて隣接し且つ平行をなすように配置・形成されている。なお、図２において符号２２は、液晶２１が封止される表示領域を示している。
【００２４】
紙送り装置１６は、図１に示すように、サーマルヘッド部１３とラインセンサ部１４との前方に位置するガイドローラ２３Ｃと、携帯情報機器本体１７内に設けられた走行駆動用の一対のピンチローラ２３Ａ、２３Ｂと、で構成されている。ガイドローラ２３Ｃは、文字等が記載されている原稿２４を所定の圧力で、サーマルヘッド部１３及びラインセンサ部１４へ押し当てるように設定されている。また、ピンチローラ２３Ａ、２３Ｂの一方は回転駆動され、他方は一方のピンチローラに所定の圧力で押し当てられて従動回転するようになっている。なお、ラインセンサ部１４を用いてイメージ認識を行う場合は、原稿２４として被認識用の原稿を用いる。また、サーマルヘッド部１３を用いて印刷を行う場合は原稿２４として感熱紙を用い、感熱リボンを用いる場合は普通紙を用いることができる。
【００２５】
次に、図３を用いてラインセンサ部１４の構成を説明する。なお、ラインセンサ部１４は、フォトセンサが後透明基板１９の幅方向に１列に並んで配置されたものである。ラインセンサ部１４は、後透明基板１９の前面に形成されたボトムゲート電極２５Ｂと、ボトムゲート電極２５Ｂ上に形成されたゲート絶縁膜２６と、このゲート絶縁膜２６上に形成されたアモルファスシリコンでなる半導体層２７Ｂと、この半導体層２７Ｂにそれぞれｎ＋層３１を介して接続するように形成されたソース電極３３ｓ及びドレイン電極３３ｄと、半導体層２７Ｂやソース・ドレイン電極３３ｓ、３３ｄなどを覆うように形成されたトップゲート絶縁膜としての透明絶縁膜３５と、半導体層２７Ｂの上方の透明絶縁膜３５上に位置するように形成されたトップゲート電極３６と、から構成されている。なお、ラインセンサ部１４の上には、走行される被認識用シートとしての紙（原稿）との摩擦に耐え、且つ電気的な絶縁を保てるように、透明な保護膜３７がコーティングされている。
【００２６】
このような構成のラインセンサ部１４の作用・動作について説明する。このラインセンサ部１４では、図示しないセンス状態制御手段が、トップゲート電極３６に印加する電圧を制御してラインセンサ部１４のセンス状態を制御し、図示しない選択制御手段がボトムゲート電極２５Ｂに印加する電圧を制御してラインセンサ部１４の選択及び非選択の状態を制御することが可能となる。非センス電圧０Ｖが印加されていたトップゲート電極３６に、センス電圧−２０Ｖが印加されてセンス状態になり、このうち、非選択電圧０Ｖが印加されていたボトムゲート電極２５Ｂに選択電圧１０Ｖが印加されると、半導体層２７Ｂに入射される光の量に応じて、ソース・ドレイン電極３３ｓ、３３ｄ間に電流が流れる。すなわち、原稿２４に印刷された文字等の陰影に応じて電流値が決定され、この電流値に従った画像データを液晶セル１２で表示するかサーマルヘッド部１３で印刷することになる。
このように、このラインセンサ部１４は、フォトセンサとしての機能と選択トランジスタとしての機能とを兼ね備えることができる。このため、本実施形態では、選択トランジスタを別途必要としないため、ラインセンサ部１４の小型化を図ることができる。また、上記したセンス状態制御手段により、認識光（検出光）を受ける側のトップゲート電極３６に印加する電圧を制御してラインセンサ部１４のセットとリセット状態をも制御し得るようにすれば、前回の半導体層２７Ｂに蓄積された電荷を直ちに放出させることができるので、原稿２４の走行に伴って連続的に光検出を行うことにより迅速にイメージ認識を行うことができる。なお、図３に示すように、認識用光の光源は、透過型の液晶表示に用いるバックライトシステム１５を用いるものであり、後透明基板１９の後方から前方に抜けた光が原稿２４の表面状態に応じて反射された光が保護膜３７、トップゲート電極３６、透明絶縁膜３５、ブロッキング層２９Ｂを透過して半導体層２７Ｂに入射することで光検出が可能となる。このとき、ボトムゲート電極２５ＢはＡｌでなる遮光性の電極であるため、バックライトシステム１５から半導体層２７Ｂへ直接光入射が起きるのを防止することができ、誤動作を起こすことがない。
【００２７】
次に、図７を用いてサーマルヘッド部１３の構成を説明する。本実施形態におけるサーマルヘッド部１３の構成は、後透明基板１９の前面に基板の幅方向に１列に並ぶように配置・形成されている。このサーマルヘッド部１３は、後透明基板１９の前面にゲート絶縁膜２６が形成され、その上にポリシリコンでなる抵抗発熱体層２７Ｃとこの抵抗発熱体層２７Ｃの両端に接続されたヘッド用電極３４、３４とが形成され、さらに透明絶縁膜３５で覆われて構成されている。このサーマルヘッド部１３においては、抵抗発熱体層２７Ｃを挟むヘッド用電極３４、３４間に電圧を印加することにより、抵抗発熱体層２７Ｃを発熱させて、例えば感熱紙や普通紙に熱転写を行うことが可能となる。
【００２８】
このような構成としたことにより、本実施形態では表示装置１１にコンパクトにラインセンサ部１４とサーマルヘッド部１３とを組み込むことができ、この表示装置１１を備える携帯情報機器の機能を向上するとともに、軽量化や薄型化を可能にする。特に、本実施形態では、ラインセンサ部１４の認識用の光として、液晶表示に用いられるバックライトの光を用いることができるため、別途光源を必要とせずコンパクトな構成となる。このように、本実施形態においては、表示装置１１で液晶表示を行う他に、ラインセンサ部１４でのイメージ認識や、サーマルヘッド部１３での熱転写印刷を行うことが可能である。
【００２９】
次に、本実施形態に係る表示装置１１の製造方法について、図４〜図７を用いて説明する。まず、図４（ａ）に示すように、ガラスでなる後透明基板１９の前面に例えばアルミニウム（Ａｌ）膜を堆積させ、このアルミニウム膜をフォトリソグラフィー技術及びエッチング技術を用いてパターニングを行い、表示領域２２に後記する各ＴＦＴ３９のゲート電極２５Ａを形成し且つラインセンサ部１４の形成領域の各ドット部にフォトセンサのボトムゲート電極２５Ｂを形成する。
【００３０】
そして、図４（ｂ）に示すように、略全面に例えば窒化シリコン（ＳｉＮｘ）や酸化シリコン（ＳｉＯ2）などでなるゲート絶縁膜２６を所定の膜厚になるように堆積させる。その後、ゲート絶縁膜２６上にアモルファスシリコン膜を堆積させ、サーマルヘッド部形成領域のアモルファスシリコン膜に部分的にレーザアニールを施し、フォトリソグラフィー技術及びエッチング技術を用いてパターニングを行い、表示領域にそれぞれのＴＦＴの半導体層２７Ａを、ラインセンサ部形成領域に半導体層２７Ｂを、サーマルヘッド部形成領域に抵抗発熱体層２７Ｃを形成する。ここで、サーマルヘッド部形成領域に形成された抵抗発熱体層２７Ｃは、上記したレーザアニールの結果、アモルファスシリコンがポリシリコンに変化しものでなる。また、半導体層２７Ａ、２７Ｂは、レーザアニールが施されていないためアモルファスシリコンのままである。なお、ラインセンサ部形成領域のゲート絶縁膜２６は、ボトムゲート絶縁膜と称される。
【００３１】
次に、図５（ａ）に示すように、表示領域にＩＴＯ（indium tin oxide）でなる透明な画素電極２８を形成する。そして、それぞれの半導体層２７Ａ、２７Ｂ上には、チャネル領域を覆うように、例えば窒化シリコンでなる透明なブロッキング層２９Ａ、２９Ｂをそれぞれパターニングしている。さらに、ブロッキング層２９Ａが形成された半導体層２７Ａの上には、ブロッキング層２９Ａ上で分離されたｎ＋層３０、３０をそれぞれ形成し、ブロッキング層２９Ｂが形成された半導体層２７Ｂの上には、ブロッキング層２９Ｂ上で分離されたｎ＋層３１、３１をそれぞれ形成する。なお、これらｎ＋層３０、３１は、ｎ型不純物を導入してなるアモルファスシリコン膜を同時にパターニングして形成する。
【００３２】
その後、例えばＡｌ膜を堆積させて、これをパターニングして図５（ｂ）に示すように、ブロッキング層２９Ａ、２９Ｂのそれぞれの上で分離されるソース電極３２ｓ、ドレイン電極３２ｄ、とソース電極３３ｓ、ドレイン電極３３ｄ、並びに抵抗発熱体層２７Ｃの両端に接続されるヘッド用電極３４を形成する。なお、表示領域２２におけるソース電極３２ｓは、画素電極２８に接続するように形成されている。
【００３３】
次いで、図６に示すように、全面にＳｉＮｘやＳｉＯ2などでなる透明絶縁膜３５を所定膜厚になるように堆積させる。この透明絶縁膜３５は、ラインセンサ部形成領域ではトップゲート絶縁膜と称される。そして、図７に示すように、ラインセンサ部形成領域の透明絶縁膜３５上には、半導体層２７Ｂの上方に位置するように透明なＩＴＯでなるトップゲート電極３６を形成する。また、ラインセンサ部形成領域上には、透明な保護膜３７を形成する。さらに、表示領域２２上には、同図に示すように、後配向膜３８を形成する。このようにして、液晶セル１２の後透明基板１９の表示領域２２内の構成（画素電極２８、ＴＦＴ３９など）、サーマルヘッド部１３、及びラインセンサ部１４を形成することができる。
【００３４】
以上、本実施形態における後透明基板１９側の製造方法について説明したが、前透明基板１８側の構成や、この前透明基板１８を後透明基板１９に貼り合わせて液晶セル１２を製造する方法は、周知の通りであるのでその説明を省略する。このように、本実施形態の表示装置１１では、同一のガラス基板１９の上に表示部分、ラインセンサ部１４及びサーマルヘッド部１３を製造するのに、共通の工程を有するため、全体として少ない工程数で行えるという利点がある。
【００３５】
（実施形態２）
図８及び図９は、本発明に係る表示装置の実施形態２を示している。図８は本実施形態の表示装置４１の要部断面説明図であり、図９は表示装置４１が組み込まれてなる、例えば電子手帳などの携帯情報機器５１の使用状態を示す斜視図である。本実施形態の表示装置４１では、図８に示すように液晶セルの後透明基板１９の下端部前面側にラインセンサ部１４が形成され、このラインセンサ部１４の前に導光を行う光学系としての、断面三角形のプリズム４２が配設されている。このプリズム４２においては、一側面４２Ａが後透明基板１９の前面に沿って貼り合わされ、この一側面４２Ａに隣接する下面４２Ｂが、被認識シートとしての紙（原稿）２４の走行面となっている。また、他側面４２Ｃ側には、ラインセンサ部１４へ認識用の光を出射・供給する光源４３と集光ミラー４４とが、後透明基板１９の幅方向に沿って設けられている。本実施形態では、光源４３や集光ミラー４４は、ラインセンサ部１４へ認識用の光を供給するだけであるため、小型の細い構造のものでよく、導光経路も短くてよいためプリズム４２も小型のものでよい。なお、本実施形態における表示装置４１は、サーマルヘッド部を備えないものであるが、他の構成は上記した実施形態１と略同様であるのでその説明を省略する。
【００３６】
本実施形態の表示装置４１では、図８に一点鎖線の矢印で示すように、光源４３から出射された認識用の光は原稿２４の表面状態に応じて反射される。その反射光はプリズム４２により対応する位置のラインセンサ部１４へ入射するように設定されている。なお、本実施形態において、原稿２４からの反射光が横方向のラインセンサ部１４へ入射しないように、横方向へ光が漏れるのを防止する遮光性の隔壁を設ける構成としてもよく、このような構成とすることにより、精度の高いイメージ認識を行うことが可能になる。
【００３７】
このような本実施形態の表示装置４１では、図９に示すように携帯情報機器５１に組み込まれることにより、携帯情報機器５１を手で持って原稿２４の上をプリズム４２の下面４２Ｂが密着するように走行させることにより、イメージ認識を行うことが可能となる。特に、本実施形態では、ラインセンサ部１４とこれに認識用の光を供給する光学系の構造が極小型でよいため、イメージ認識機能を備える表示装置４１をコンパクトにすることができる。このため、この表示装置４１を備える携帯情報機器５１も、軽量且つコンパクトにすることができる。
【００３８】
以上、実施形態１と実施形態２について説明したが、本発明はこれらに限定されるものではなく、構成の要旨に付随する各種の変更が可能である。例えば、上記した実施形態１、２では表示装置１１、４１を携帯情報機器に組み込む構成としたが、デスクトップ型のワープロやパーソナルコンピュータなどに組み込むことも勿論可能であり、これらの情報機器のコンパクト化を期することができる。そして、実施形態１では、ラインセンサ部１４及びサーマルヘッド部１３の両方を装備したが、ラインセンサ部１４だけであっても良い。また、上記した実施形態２では、サーマルヘッド部を備えない構成としたが、サーマルヘッド部を付加した構成とすることも可能である。また、ラインセンサ部１４を備えず、サーマルヘッド部のみを備える構成とすることも可能である。さらに、上記した各実施形態では、後透明基板１９側にラインセンサ部１４やサーマルヘッド部１３を配置する構成としたが、前透明基板１８の下部を後透明基板１９の下部から下方に延びた構造にして、前透明基板１８側に配置する構成としてもよい。さらにまた、上記した各実施形態では、表示領域での表示手段は液晶セル１２を備える液晶表示素子であったが、透明基板に形成されたエレクトロルミネッセンス（ＥＬ）表示素子、その他の表示手段を適用することも可能である。また、上記した各実施形態では、液晶セル１２におけるスイッチング素子としてＴＦＴを適用したが、２端子スイッチング素子であるＭＩＭ素子を適用してもよい。このＭＩＭ素子を適用した場合でも、ＭＩＭ素子の製造工程と、ラインセンサ部１４やサーマルヘッド部１３の製造工程と、の間に共通工程が多いため、工程数を大きく増加させることなく表示装置を製造することが可能となる。また、ラインセンサ部１４の構成としては、ＭＯＳ型フォトセンサ以外に各種のフォトセンサを適用することが可能である。
【００３９】
【発明の効果】
以上の説明から明らかなように、この発明によれば、イメージリーダ機能やプリンタ機能を具備する軽量でコンパクトな表示装置を提供することができる。
【図面の簡単な説明】
【図１】本発明に係る表示装置の実施形態１を示す側面説明図。
【図２】実施形態１の表示装置における後透明基板の前面を示す平面図。
【図３】実施形態１の表示装置におけるラインセンサ部の断面図。
【図４】（ａ）、（ｂ）は実施形態１の表示装置の製造方法を示す工程断面図。
【図５】（ａ）、（ｂ）は実施形態１の表示装置の製造方法を示す工程断面図。
【図６】実施形態１の表示装置の製造方法を示す工程断面図。
【図７】実施形態１の表示装置の製造方法を示す工程断面図。
【図８】本発明に係る表示装置の実施形態２を示す要部断面図。
【図９】実施形態２の表示装置が組み込まれた携帯情報機器の使用状態を示す斜視図。
【符号の説明】
１１  表示装置
１２  液晶セル
１３  サーマルヘッド部
１４  ラインセンサ部
１５  バックライトシステム
１６  紙送り装置
１７  携帯情報機器本体
１８  前透明基板
１９  後透明基板
２１  液晶
２２  表示領域
２４  原稿
２５Ｂ  ボトムゲート電極
２６  ゲート絶縁膜
２７Ｂ  半導体層
３３ｓ  ソース電極
３３ｄ  ドレイン電極
３５  透明絶縁膜
３６  トップゲート電極
【図１】
0004019477.tif 000002
【図２】
0004019477.tif 000003
【図３】
0004019477.tif 000004
【図４】
0004019477.tif 000005
【図５】
0004019477.tif 000006
【図６】
0004019477.tif 000007
【図７】
0004019477.tif 000008
【図８】
0004019477.tif 000009
【図９】
0004019477.tif 000010